(57)【要約】【課題】強風によるめくり上がり防止効果に優れ、かつ昇り足調整範囲が広い屋根用桟瓦１０を提供する。【解決手段】上段の瓦１０Ｂを、下段の瓦１０Ａの桟部１３と尻部１４の角隅部の尻１４側端面に差込側切欠部２１の端面が当接する位置と、下段の瓦１０ａの桟側凹部１５の尻１４側端部が差込側係止片２２の頭２０側端部に重なる位置の間にあるように葺設すれば上段の瓦１０ｂの頭部２０によって下段の瓦１０ａの葺き合わせライン２６から尻側の部分を覆い隠すことができるように構成する。瓦１０の差込側係止片２２の縦寸法分が瓦１０の昇り足調整可能範囲となるので、昇り足調整範囲が広く、瓦１０の葺設作業が容易になる。【選択図】    図３
2004204443.tif 000002
【特許請求の範囲】
【請求項１】
瓦本体が山部と谷部から成る断面波形を有し、桟部と尻部との角隅部裏面に桟側凹部を形成し、差込部と頭部との角隅部に差込側切欠部を形成すると共に該差込側切欠部の中に差込側係止片を成形し、桟部と尻部の角隅部に斜め上段の瓦の差込側切欠部を遊嵌し、桟側凹部の下に斜め上段の瓦の差込側係止片を潜り入れるよう葺設する屋根用桟瓦であって、桟部と尻部の角隅部の尻側端面に斜め上段の瓦の差込側切欠部の端面を当接するように葺設したとき、斜め上段の瓦の頭側端面が瓦の葺き合わせラインより下方に位置し、かつ桟側凹部の尻側端部が斜め上段の瓦の差込側係止片の頭側端部に重なるように葺設したとき、斜め上段の頭側端面が瓦の葺き合わせラインにほぼ整列するように構成したことを特徴とする屋根用桟瓦。
【請求項２】
前記差込側係止片の側縁に、差込側端部に凸設した水返しに沿って補助水返しを凸設したことを特徴とする請求項１に記載の屋根用桟瓦。
【発明の詳細な説明】
【０００１】
【発明の属する技術分野】
本発明は屋根用桟瓦に関する。
【０００２】
【従来の技術】
屋根用桟瓦の一形式として、特開２００２−５４２７１号公報には、図に示すように、瓦本体ａが山部ｂと谷部ｃから成る断面波形を有し、桟部ｄと尻部ｅとの角隅部裏面に桟側係止部ｆを形成し、差込部ｇと頭部ｈとの角隅部に差込側切欠部ｉを形成し、該差込側切欠部ｉの中に差込側係止片ｊを成形した屋根用桟瓦が開示されている。
この屋根用桟瓦ａは桟部ｄと尻部ｅの角隅部に斜め上段の瓦ａの差込側切欠部ｉを遊嵌し、下段の瓦ａの桟側係止部ｆの下に斜め上段の瓦ａの差込側係止片ｊを潜り込ませるように葺設する。こうすることで、上段の瓦ａの角隅部を斜め下段の瓦の角隅部で押さえ付けて強風による瓦ａのめくり上がりを防止するように構成されている。
【０００３】
【発明が解決しようとする課題】
ところで、一般に屋根用桟瓦の尻側の端部の表面には釉薬が施されていない部分があり、未施有部分には釘孔や水返しが設けられている。瓦は葺設するとき未施釉部分や釘孔、水返し等が表れないように上段の瓦の頭部側で覆い隠す必要がある。下段の瓦の未施釉部分が隠れるように上段の瓦を葺設したとき上段の瓦の、見付けといわれる頭部側端面が下段の瓦表面上に形成するラインは葺き合わせライン又は施工ラインと言われている。
図５に上記従来の屋根用桟瓦ａの葺き合わせラインｋを示す。葺き合わせラインｋは瓦１ａの桟部ｄと尻部ｅの角隅部の尻側端部が斜め上段の瓦２ａの差込側切欠部ｉの端面に当接するように瓦２ａを葺設したときの頭部側端面と一致するように設定されている。頭部側端面が葺き合わせラインｋと一致するように葺設すれば、上段の瓦２ａの頭部ｈによってちょうど真下の瓦１ａの未施釉部分や釘孔、水返しが覆われる。しかしながら、瓦ａの昇り足調整を行うべく、例えば瓦２ａに対して上段の瓦３ａを、瓦２ａの桟部ｄと尻部ｅの角隅部の桟側係止部ｆから差込側係止片ｊが外れないように限度まで上方へずらすと、瓦３ａの頭部端面によって形成されるラインｍの位置が葺き合わせラインｋより尻側へずれ、上段の瓦３ａの頭部ｈで下段の瓦２ａの未施釉部分を覆い隠すことができない。このように、従来の屋根用桟瓦は昇り足調整範囲が非常に狭いため、施工が甚だ不便である。
また、従来の屋根用桟瓦ａでは差込部ｇを流れ下った雨水が差込側係止片ｊに伝わり、そこから瓦ａの裏側へ侵入するおそれがある。
本発明はかかる問題点に鑑み、昇り足調整範囲が広く、また雨水の瓦裏側への侵入を防ぐことのできる屋根用桟瓦を提供することを目的とする。
【０００４】
【課題を解決するための手段】
請求項１に記載の発明は、瓦本体が山部と谷部から成る断面波形を有し、桟部と尻部との角隅部裏面に桟側凹部を形成し、差込部と頭部との角隅部に差込側切欠部を形成すると共に該差込側切欠部の中に差込側係止片を成形し、桟部と尻部の角隅部に斜め上段の瓦の差込側切欠部を遊嵌し、桟側凹部の下に斜め上段の瓦の差込側係止片を潜り入れるよう葺設する屋根用桟瓦であって、桟部と尻部の角隅部の尻側端面に斜め上段の瓦の差込側切欠部の端面を当接するように葺設したとき、斜め上段の瓦の頭側端面が瓦の葺き合わせラインより下方に位置し、かつ桟側凹部の尻側端部が斜め上段の瓦の差込側係止片の頭側端部に重なるように葺設したとき、斜め上段の頭側端面が瓦の葺き合わせラインにほぼ整列するように構成したことを特徴とする。
請求項２に記載の発明は請求項１に記載の屋根用桟瓦において、前記差込側係止片の側縁に、差込側端部に凸設した水返しに沿って補助水返しを凸設したことを特徴とする。
【０００５】
【発明の作用・効果】
請求項１に記載の屋根用桟瓦によれば、上段の瓦を、下段の瓦の桟部と尻部の角隅部の尻側端面に差込側切欠部の端面が当接する位置と、下段の瓦の桟側凹部の尻側端部が差込側係止片の頭側端部に重なる位置の間にあるように葺設すれば上段の瓦の頭部によって下段の瓦の葺き合わせラインから尻側の部分を覆い隠すことができるので、瓦の差込側係止片の縦寸法分が瓦の昇り足調整可能範囲となる。このため、昇り足調整範囲が広く、瓦の葺設作業が容易になる。
請求項２に記載の発明によれば、差込側係止片の端部に水返しを凸設したので、係止片を伝って雨水が瓦の裏側に侵入するのを防止できる。
【０００６】
【発明の実施の形態】
以下に本発明を図面に基づき説明するに、図１は本発明の一実施形態に係る屋根用桟瓦１０の表面を示す斜視図、図２は同屋根用桟瓦の裏面を示す斜視図である。当該桟瓦１０は逆椀型の山部１１と平坦な谷部１２を連ねた波形の断面形状を有し、桟部１３と尻部１４との角隅部の裏側に平坦な桟側凹部１５が形成され、角隅部の表面には桟側凹部１５の厚みを増して補強するため凸湾曲部１６が成形されている。
【０００７】
桟瓦１０の谷部１２に平坦な差込部１７が上向きに反り返るように連設されている。差込部１７の側縁から尻部１４の側縁にかけては連続して水返し１８，１９が突設されている。瓦本体１０の差込部１７と頭部２０の角隅部には差込側切欠部２１が形成され、差込部１７の頭部側端面に平坦な差込側係止片２２が連設され、切欠部２１中に突出している。差込部１７の頭部側端部表面の差込側角隅部には差込部１７表面を伝って流れ下る雨水を差込側係止片２２へと導くため水返し１８に連なる略三角形の傾斜面２３が形成されている。また、差込側係止片２２の側縁には雨水が瓦本体１０の裏側へ侵入するのを防止するため水返し１８に沿って水返し２４が凸設されている。
【０００８】
瓦本体１０の差込側谷部１２の側縁にも瓦本体表面から雨水が差込部１７へ流れ込むのを防止するため水返し２５が凸設されている。また、両谷部１２の尻側よりに雨水の尻側への流れを阻止するため横溝２６が形成されている。瓦１０本体表面は頭部２０端部からほぼこの横溝２６までの領域に釉薬が施され、横溝２６から尻側の部分は未施釉部分となっているので、この横溝２６が瓦１０の葺き合わせラインを兼ねている。そして、山部１１の未施釉部分の頂部と桟側谷部に釘孔２７が形成されている。瓦１０本体裏面の尻側端部には桟木に瓦１０を掛止するための爪２８が２本凸設されている。
【０００９】
本実施形態に係る屋根用桟瓦１０の構造は以上の通りであって、該桟瓦１０を葺設するには、図３に模式的に示すように、まず瓦１０Ａの桟部１３と尻部１４の角隅部に斜め上段の瓦１０Ｂの差込側切欠部２１を遊嵌し、瓦１０Ａの桟側凹部１５の下に瓦１０Ｂの差込側係止片２２を潜り込ませる。そして、瓦１０Ｂの横に瓦１０（図示略）を頭部２０端面が整列するように並べて瓦１０Ａの未施釉部分をこの瓦１０（図示略）で覆い隠す。同様にして瓦１０Ｂの斜め上段に瓦１０Ｃを葺設する。このように葺設することで、瓦１０Ａの角隅部で瓦１０Ｂの角隅部が押さえられ、瓦１０Ｂで瓦１０Ｃが押さえられるので、強風による瓦１０のめくり上がりを防止できる。
【００１０】
図３において、瓦１０Ｂは瓦１０Ａに対し、差込側切欠部２２の端面（差込部１７の頭側端面）が瓦１０Ａの角隅部の尻側端面に当接するように葺設されている。このときの瓦１０Ｂの横に並べる瓦１０の頭部２０端面の描くラインを図に２点鎖線ｎで示す。ラインｎは瓦１０Ａの葺き合わせラインに相当する横溝２６から所定寸法だけ頭部２０側に寄った位置にある。一方、瓦１０Ｃは瓦１０Ｂに対し、瓦１０Ｂの桟側凹部１５の尻側端部が瓦１０Ｃの差込側係止片２２の頭側端部から外れない限界の位置に葺設されている。このときの瓦１０Ｃの横に並べる瓦１０の頭部２０端面の描くラインを２点鎖線ｐで示す。ラインｐは瓦１０Ｂの横溝２６にほぼ整列する位置にある。
【００１１】
図３に示すように、瓦１０Ａ未施釉部分が瓦１０Ｂの頭部２０で覆い隠され、瓦１０Ｂの未施釉部分が瓦１０Ｃの頭部２０で覆い隠される。従って、瓦１０の差込側係止片２２の縦寸法分が瓦１０の昇り足調整可能範囲となるので、昇り足調整範囲が広く、瓦１０の葺設作業が容易になる。
また、差込側係止片２２の端部に水返し２４を凸設したので、係止片２２を伝って雨水が瓦１０の裏側に侵入するのを防止できる。
【図面の簡単な説明】
【図１】本発明の一実施形態に係る屋根用桟瓦の表面を示す斜視図である。
【図２】同屋根用桟瓦の裏面を示す斜視図である。
【図３】同屋根用桟瓦の葺設方法を示す説明図である。
【図４】従来の屋根用桟瓦を示す斜視図である。
【図５】従来の屋根用桟瓦の葺設方法を示す説明図である。
【符号の説明】
１０…屋根用桟瓦、１１…山部、１２…谷部、１３…桟部、１４…尻部、１５…桟側凹部、１７…差込部、２０…頭部、２１…差込側切欠部、２２…差込側係止片、２４…水返し、２６…横溝（葺き合わせらライン）。
【図１】
2004204443.tif 000003
【図２】
2004204443.tif 000004
【図３】
2004204443.tif 000005
【図４】
2004204443.tif 000006
【図５】
2004204443.tif 000007